(57)【要約】      （修正有）【課題】人にとってより演奏しやすいように、自由にキーを配置できる電子楽器のキー配列及び演奏音の伝送・出音機器を提供する。【解決手段】装置において、必要最低限、かつ、必要十分な２６のキーに、わかりやすい表示を付け、少ない指移動で単音・和音を組み合わせられるキー配列にしたことで、片手で携帯電話を操るような操作感で単音・和音を直観的に選択できる。また、音の組み合わせを数列化し、楽曲などにおいて、人には聞き取りにくい高周波数帯域に一定の規則に基づき挿入し、音波や電波、インターネット回線などを介して送信する。受信側装置で自動解析させると同時に、人による簡単なタッチなどの操作で空間を超えた演奏体験を共有させる。【選択図】図３
2019207339.tif 000002
【特許請求の範囲】
【請求項１】
七音音階を示す「Ａ」、「Ｂ」、「Ｃ」、「Ｄ」、「Ｅ」、「Ｆ」、「Ｇ」までの７つのキーを音階順に配置した単音キー列１−１と、七音音階のそれぞれの音から半音上がる、または下がる音を七音音階の配列順と連動する形で配置したキー列であり、半音が存在しない「Ｅ」、「Ｆ」の間にクリアオールを意味する「ＣＡ」を配置した合計６つからなる単音＃♭キー列１−２と、和音名を意味する「ｄｉｍ／７」、「ａｄｄ／＋９」、「ｓｕｓ４／２」、「Ｍａｊ」、「ｍｉｎ」、「ａｕｇ」および、分数（ＯＮ）コード＋Ｍａｊと半音上げを意味する＃を示す「ＯＮ（Ｍ）／＃」の７つのキーを配列した和音キー列Ａ１−３と、「４／１３」、「２／１１」、「９／＃」、「７／７♭５」、「６／６９」、「５」の６つのキーからなる和音キー列Ｂ１−４を配列した、組み合わせて複数の単音・和音を演奏するためのキーおよびキー配列を持ち、ソフトウェアとしての実装も可能とした装置１であって、演奏する楽曲やスタイルによって単音キー列１−１および単音キー列１−１と連動して配列される単音＃♭キー列１−２において、最初に始まる音階名の変更（順序は不変）および、開始する場所（図１上で天または地から）の変更を可能とし、和音キー列Ａ１−３と和音キー列Ｂ１−４においても、単音キー列１−１および単音＃♭キー列１−２の配置順とは関係なく、図面１上の天または地から配列することを可能とした。
【請求項２】
人間の耳では捉えにくく、多くのオーディオ機器で対応する１７ｋＨｚから２０ｋＨｚ前後の高周波数帯域の１８ｋＨｚを「０」、１８．２ｋＨｚを「１」にするといったように２００メガヘルツ程度ごとに０から９までの数値を与え、キーボードなどで指定された単音または和音を数列化し、該当高周波数に置き換えることを可能としたマイクロコントローラ１−５と、マイクロコントローラ１−５からの指示で高周波音を送出できるスピーカ１−６およびオーディオ出力端子１−７からなる、同等機能を持つハードウェア上でソフトウェアとしての実装も可能とした装置１と、装置１から送出された高周波音を検知するマイクロフォン２−１およびオーディオ入力端子２−５と、検知した高周波音をマイクロコントローラ１−５とは逆の流れで単音・和音を解析し、和音の構成音数に対応できるよう複数個設けられたセンサまたはボタンなどからなる出音用コントローラ２−３に和音を構成する単音および内蔵された音源を割り当て、出音用コントローラ２−３が人の操作によって反応すると同時にスピーカ２−４に該当音を出音させるまでをコントロールするマイクロコントローラ２−２および、出音用コントローラ２−３、スピーカ２−４からなり、同等機能を持つハードウェア上でソフトウェアとしての実装も可能とした装置２。
【発明の詳細な説明】
【技術分野】
【０００１】
本発明は、電子音楽における和音を選択するための合理的なキー（ボタン）配列および、演奏音情報を伝送し出音する装置に関するものである。
【背景技術】
【０００２】
電子楽器やゲーム機器において、キーを押すことで特定音や和音を演奏できるものがあるが、本格的な電子楽器などではキー数が多くなり、ゲーム程度のものでは実用的な音数が少ない。また演者は基本的に一楽器一人に絞られる。
【先行技術文献】
【特許文献】
【０００３】
特許文献１  特願特願２００２−５２４１３７（Ｐ２００２−５２４１３７）
【発明の概要】
【発明が解決しようとする課題】
【０００４】
電子楽器の多くは、以前よりあるアナログ楽器を模したキー配列が多く、人にとってより演奏をしやすいように自由にキーを配置できるはずの電子楽器のよさが生かされていない側面があった。
【０００５】
またスマートフォンのアプリケーションなどで実用化されている鍵盤などのキー配列においても、キーを多数配置し多くの単音や和音をタッチ操作で演奏できるものでは、画面上の小さいキーをタップして演奏しなければならず、比較的大きなボタンを持つシンプルなアプリケーションでは操作性が増す反面、必要な音数が足りなかったり、画面をスクロールさせたりして必要なキーを探す必要があり、いずれも演奏には適していなかった。
【０００６】
楽器演奏において、単音や和音を選択する操作（ギターでいうところの左手で特定の弦を押さえる操作）と、その音を出音する操作（ギターでいうところの右手で弦を弾く操作）は同一人で行うことが通常であるが、人によっては同時に複数の作業を行うことが難解であり演奏のハードルを上げている側面があった。
【発明の効果】
【０００７】
必要最低限かつ必要十分な２６つのキーに、見た目でわかりやすい表示を付け、使用頻度が高い和音を中心に少ない指移動で組み合わせられるキー配列にしたことで、片手で携帯電話（標準的な携帯電話でのキー数は矢印キーを入れて２４つ）を扱うような操作感で実用レベルの単音１２音×和音７０種類×和音に組み合わせることができる分数（ＯＮ）コード１３音分を直観的に選択できるようにした。
【０００８】
音楽会場において、また放送、インターネット、通信カラオケなどでの楽曲（番組）配信において、楽曲音声の高周波数帯域に本発明の演奏データを入れ込み送信することで、解析・演奏装置（スマートフォン上のアプリでも可）を持つ聴者側が流れる楽曲（ボーカル音や主旋律、または伴奏だけでもよい）に合わせてボタン押したり、タッチなどの簡単操作で同時演奏を楽しんだり、また音楽学習の一環として利用したり、カラオケでは楽器や音楽コード不要で演奏や弾き語りができるなど能動的な音楽活動が空間を超えても行えるようになる。
【図面の簡単な説明】
【０００９】
【図１】装置１の図
【図２】装置１の横配列例図
【図３】装置１および装置２の図面
【発明を実施するための形態】
【００１０】
以下、図１に基づき、使用例を記載する。
【００１１】
Ｃキー単独押し→Ｃ（ド音）が演奏される。装置２の出力用コントローラ２−３との併用で、Ｃ（ド音）が出力用コントローラ２−３の複数のセンサにオクターブ違いかつ順番に割り当てられる。そのため出力用コントローラ２−３のセンサの数と同数のオクターブの音階が演奏可能となる。
【００１２】
基本的な和音キーの使い方
Ｃコード→「Ｃ」＋「Ｍａｊ」または「Ｍａｊ」＋「Ｃ」
同時に押しても、順番に押しても、また押す順序を変えても認識可能。構成音であるＣ（ド音）、Ｅ（レ音）、Ｇ（ソ音）が演奏され、出力用コントローラ２−３との併用で、出力用コントローラ２−３のセンサ順に割り当てられたそれぞれの構成音が、センサの反応とともに出力されるため、同時出音や構成音を単音ずつ出音するアルペジオ演奏など、楽曲やスタイルにあわせて出音が可能となる。また演奏時にＣコードの次に来るコードが同じ和音であるＤ（Ｍａｊ）コードの場合、「Ｄ」ボタンを押すだけで、「Ｍａｊ」以降の和音が引継げ、一度入力された単音・和音は次のキーが押されるまでキーを離した状態でも継続される。
【００１３】
分数（ＯＮ）コード
ＣｏｎＤ→「Ｃ」＋（「Ｍａｊ」）＋「ＯＮ（Ｍ）／＃」＋「Ｄ」
「ＯＮ（Ｍ）／＃」キーには、最も使用頻度の高い「Ｍａｊ」を含めているため、「Ｍａｊ」キーを割愛することできるが、メイジャー（Ｍａｊ）以外の和音使用時には、（）内に該当和音キーを入力する必要がある。また「ＯＮ（Ｍ）／＃」は連続して使われる頻度が少ないため、前記項目００１２のように、単音キーを変更しても和音部分を引き継ぐことはできない。
【００１４】
二度押し・長押し操作
Ｃｍ７（♭５）→「Ｃ」+「ｍｉｎ」+「７／７♭５」を２度押し（または長押し）、または「Ｃ」+「ｍｉｎ」+「７／７♭５」＋「５」
「７♭５」といった使用頻度の高いキーは二度押し（または長押し）することでも入力が可能。他に二度押し（長押し）に対応しているキーは「ｓｕｓ４／２」と「ｄｉｍ／７」と「６／６９」と「９／＃」および「ＯＮ／（Ｍ）／＃」（構成和音内数字部の半音変更時）となり、長押し操作については演者やデバイスの性能による選択設定となる。
【００１５】
Ｃａｄｄ９→「Ｃ」＋「ａｄｄ／＋９」。
「ａｄｄ」は単独では存在しない和音であるため、組み合わせ頻度が高い「９」が標準で付加される。和音がａｄｄ２やａｄｄ４の場合は、「ａｄｄ／＋９」＋該当数字キーの入力が必要。また「ａｄｄ／＋９」のあとには、分数（ＯＮ）コードと同様、ルート音（単音）が来る場合があるため、Ｃａｄｄ９を「ａｄｄ／＋９」＋「Ｃ」にように逆からの入力や、前記項目００１２での和音引き継ぎ入力はできない。
【００１６】
「２／１１」と「４／１３」は、それぞれの数字が同時または同和音内に出現しないため、独立した数字と同様に扱うことが可能である。
【符号の説明】
【００１７】
１        装置１
１−１ 単音キー列
１−２ 単音＃♭キー列
１−３ 和音キー列Ａ
１−４ 和音キー列Ｂ
１−５ マイクロコントローラ
１−６ スピーカ
１−７ オーディオ出力端子
２     装置２
２−１  マイクロフォン
２−２  マイクロコントローラ
２−３  出音用コントローラ
２−４  スピーカ
２−５  オーディオ入力端子
【図１】
2019207339.tif 000003
【図２】
2019207339.tif 000004
【図３】
2019207339.tif 000005